【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
サーバ上のコンテンツを複数ユーザのクライアントで共有するコンテンツ共有システムであって、
メディアデータ及びメタデータからなるコンテンツを管理するとともに、各ユーザのアクセス認証情報が登録されたアクセス定義データが記録されているコンテンツ管理サーバと、
前記コンテンツ管理サーバから前記コンテンツデータを取得し、指定された表示形式に構成して前記クライアントに表示する表示構成サーバと、
前記コンテンツ共有システム又は外部に蓄積された既存のデータを基に、アクセス許可ユーザを確定して新たなアクセス定義データを作成するとともに、新たなアクセス定義データに登録されたユーザ間で共有されるコンテンツコンテナを作成して前記コンテンツ管理サーバに送信するコンテンツコンテナ作成補助サーバと
を有することを特徴とするコンテンツ共有システム。
【請求項２】
前記コンテンツコンテナ作成補助サーバは、前記クライアントからコンテンツコンテナ作成コマンドの発行を受けて所定の制御を行うコンテンツコンテナ作成補助制御部と、
前記コンテンツコンテナ作成補助制御部からの指示により前記既存のデータを解釈してアクセス許可ユーザを抽出し、新たにアクセス定義データを作成するデータ解釈部と、
前記データ解釈部から供給される新たなアクセス定義データを基に、前記新たなアクセス定義データに登録されたユーザ間で共有されるコンテンツコンテナの構成に必要なデータを作成して前記コンテンツ管理サーバに送信するコンテナ作成部と
を備えることを特徴とする請求項１記載のコンテンツ共有システム。
【請求項３】
前記データ解釈部は、前記既存データとしてコンテンツコンテナ内の所定コンテンツに対し投稿されたコンテンツに記録されているデータを解釈するコンテンツ解釈部を備え、
前記コンテナ作成部は、前記コンテンツ解釈部での解釈結果に基づき、前記所定コンテンツを含むコンテンツコンテナとリンクする新たなコンテンツコンテナの作成に必要なデータを前記コンテンツ管理サーバに送信する
ことを特徴とする請求項２記載のコンテンツ共有システム。
【請求項４】
前記コンテンツ解釈部は、前記所定コンテンツに対して特定の内容を含むコンテンツを投稿したユーザを前記アクセス許可ユーザとする
ことを特徴とする請求項２記載のコンテンツ共有システム。
【請求項５】
前記データ解釈部は、前記既存データとしてユーザの所定コンテンツに対するアクセス履歴のデータを解釈し、アクセス許可ユーザを抽出するアクセス履歴解釈部を備え、
前記コンテナ作成部は、前記アクセス履歴解釈部での解釈結果に基づき、前記所定コンテンツを含むコンテンツコンテナとリンクする新たなコンテンツコンテナの作成に必要なデータを前記コンテンツ管理サーバに送信する
ことを特徴とする請求項２記載のコンテンツ共有システム。
【請求項６】
前記データ解釈部は、前記既存データとして前記クライアントに記録されたユーザ所有
のユーザリストデータを解釈するユーザリスト解釈部
を備えることを特徴とする請求項２記載のコンテンツ共有システム。
【請求項７】
前記データ解釈部は、前記既存データとして過去に作成されたアクセス定義データを解釈するグループ作成履歴解釈部
を備えることを特徴とする請求項２記載のコンテンツ共有システム。
【請求項８】
前記データ解釈部は、前記既存データとして外部のアプリケーションソフトウェアから取得したデータを解釈する外部データ解釈部
を備えることを特徴とする請求項２記載のコンテンツ共有システム。
【請求項９】
前記データ解釈部は、前記既存データとしてコンテンツコンテナ内の所定コンテンツに対し投稿されたコンテンツに記録されているデータ、ユーザの所定コンテンツに対するアクセス履歴のデータ、ユーザ所有のユーザリストのデータ、過去に作成されたアクセス定義データ、の中から２つ以上を組み合わせて解釈する組み合わせ解釈部
を備えることを特徴とする請求項２記載のコンテンツ共有システム。
【請求項１０】
任意のコンテンツコンテナ内のコンテンツに対し投稿された任意のコンテンツに書き込まれたテキストデータを定期的に解釈し、特定の文字列を検出する作成判定部を備え、
前記作成判定部は、前記特定の文字列を検出した場合、前記コンテンツコンテナ作成補助制御部に対し自動的にコンテンツコンテナ作成コマンドを発行する
ことを特徴とする請求項２記載のコンテンツ共有システム。
【請求項１１】
前記コンテンツコンテナ作成補助制御部は、前記コンテンツコンテナ作成後、コンテンツに投稿してきたユーザのコンテンツを解釈し、所定の条件を満たしたユーザを、前記コンテンツ管理サーバに記録された前記アクセス定義データのアクセス許可ユーザに加える
ことを特徴とする請求項２記載のコンテンツ共有システム。
【請求項１２】
前記コンテンツコンテナ作成補助制御部は、前記コンテンツコンテナ作成後、予め設定された特定の日時に該作成されたコンテンツコンテナのアクセス定義データを前記設定内容に応じて変更する
ことを特徴とする請求項２記載のコンテンツ共有システム。
【請求項１３】
前記表示構成サーバは、相互にリンク設定されたコンテンツコンテナの表示を前記クライアントの指示により切替える表示切替部を有し、
前記相互にリンク設定されたコンテンツコンテナ表示画面上に表示された表示切替ボタンを操作することによって、前記相互にリンク設定されたコンテンツコンテナ間で表示を切り替える
ことを特徴とする請求項３記載のコンテンツ共有システム。
【請求項１４】
少なくともイベント名とイベントＩＤ、からなるイベント情報が登録されたイベントデータテーブルを保持するイベントデータ記憶部と、
前記イベントデータ記憶部と前記クライアントとのデータ通信を行い、前記クライアントに前記イベントデータ記憶部に記憶されたイベント情報を送信するイベントデータ入出力部とから構成されるイベント情報管理サーバ
を備えることを特徴とする請求項１記載のコンテンツ共有システム。
【請求項１５】
メディアデータ及びメタデータからなるコンテンツと、該コンテンツに対するアクセス許可ユーザが登録されたアクセス定義データが記録されているサーバ上に、新たに複数のユーザ間で共有できる特定コンテンツの集まりからなるコンテンツコンテナを作成するコンテンツコンテナ作成方法であって、
前記サーバは前記ユーザが操作するクライアントからのコンテンツコンテナ作成コマンドを受け付けた場合、前記コンテンツコンテナ作成コマンドの内容に応じて、前記サーバ内又は外部に蓄積された既存のデータを解釈するステップと、
前記既存のデータの解釈結果を基にアクセス許可ユーザを抽出し新たにアクセス定義データを作成するステップと、
前記新たなアクセス定義データに登録されたユーザ間で共有される新たなコンテンツコンテナを作成するステップと
を有することを特徴とするコンテンツコンテナ作成方法。
【請求項１６】
前記既存データとして、前記サーバに記録されたコンテンツコンテナ内の所定コンテンツに対し投稿されたコンテンツに記録されているデータを解釈するステップと、
前記所定コンテンツに対して特定の内容を含むコンテンツを投稿したユーザを、前記アクセス許可ユーザとして抽出し、新たにアクセス定義データを作成するステップと、
前記所定コンテンツを含むコンテンツコンテナとリンクし、前記新たなアクセス定義データに登録されたユーザ間で共有される新たなコンテンツコンテナを作成するステップと
を有することを特徴とする請求項１５に記載のコンテンツコンテナ作成方法。
【請求項１７】
前記既存データとして、前記サーバに記録されたコンテンツコンテナ内の所定コンテンツに対するアクセス履歴のデータを解釈するステップと、
前記アクセス履歴データの解釈結果に基づき、アクセス許可ユーザを抽出し、新たにアクセス定義データを作成するステップと、
前記所定コンテンツを含むコンテンツコンテナとリンクし、前記新たなアクセス定義データに登録されたユーザ間で共有される新たなコンテンツコンテナを作成するステップと
を有することを特徴とする請求項１５記載のコンテンツコンテナ作成方法。
【請求項１８】
前記既存データとして、前記クライアントに記録されたユーザリストデータを解釈する
ことを特徴とする請求項１５記載のコンテンツコンテナ作成方法。
【請求項１９】
前記既存データとして、過去に作成されたアクセス定義データを解釈する
ことを特徴とする請求項１５記載のコンテンツコンテナ作成方法。
【請求項２０】
前記既存データとして、外部のアプリケーションソフトウェアから取得したデータを解釈する
ことを特徴とする請求項１５記載のコンテンツコンテナ作成方法。
【請求項２１】
前記既存データとして、コンテンツコンテナ内の所定コンテンツに対し投稿されたコンテンツに記録されているデータ、ユーザの所定コンテンツに対するアクセス履歴のデータ、ユーザ所有のユーザリストのデータ、過去に作成されたアクセス定義データ、の中から２つ以上を組み合わせて解釈する
ことを特徴とする請求項１５記載のコンテンツコンテナ作成方法。
【請求項２２】
任意のコンテンツコンテナ内のコンテンツに対し投稿された任意のコンテンツに書き込まれたテキストデータを定期的に解釈して特定の文字列を検出するステップと、
前記特定の文字列が検出された場合、自動的にコンテンツコンテナ作成コマンドを発行するステップと
を有することを特徴とする請求項１５記載のコンテンツコンテナ作成方法。
【請求項２３】
前記コンテンツコンテナ作成後、コンテンツに投稿してきたユーザのコンテンツを解釈するステップと、
所定の条件を満たしたユーザを、前記コンテンツ管理サーバに記録された前記アクセス定義データのアクセス許可ユーザに加えるステップと
を有することを特徴とする請求項１５記載のコンテンツコンテナ作成方法。
【請求項２４】
前記コンテンツコンテナ作成後、予め設定された特定の日時に該作成されたコンテンツコンテナのアクセス定義データを前記設定内容に応じて変更する
ことを特徴とする請求項１５記載のコンテンツコンテナ作成方法。
【請求項２５】
新たにコンテンツコンテナを作成時に、作成後のコンテンツコンテナ表示画面上に相互にリンク設定されたコンテンツコンテナの表示を切り替える表示切替ボタンを表示するか非表示とするかを、前記クライアントの指示に応じて変更する
ことを特徴とする請求項１５記載のコンテンツコンテナ作成方法。
【請求項２６】
前記サーバは、少なくともイベント名とイベントＩＤ、からなるイベント情報が登録されたイベントデータテーブルを保持するステップと、
新たにコンテンツが作成された場合、前記イベントデータテーブルのイベント情報と対応付けて前記コンテンツを保存するステップと
を有することを特徴とする請求項１５記載のコンテンツコンテナ作成方法。
【請求項２７】
前記イベント情報を外部アプリケーションソフトウェアから取得して、前記イベントデータテーブルに登録する
ことを特徴とする請求項１５記載のコンテンツコンテナ作成方法。